(57)【要約】【課題】予備硬貨収納体に収納されている硬貨を硬貨処理装置の収納繰出部に補充することにより、操作者の作業の効率化を図ることができる硬貨処理システムおよび硬貨処理方法を提供する。【解決手段】硬貨処理システム１０は、硬貨を収納するとともに収納されている硬貨を繰り出し可能な収納部（例えば、収納繰出部３４）を有する硬貨処理装置２０と、硬貨処理装置２０の収納繰出部３４から繰り出された硬貨のうち硬貨処理装置２０から出金される硬貨以外の硬貨が送られて収納される予備硬貨収納体（例えば、予備硬貨収納カセット６０）と、硬貨処理装置２０の収納繰出部３４に硬貨を補充する旨の指令が与えられたときに、予備硬貨収納体に収納されている硬貨を硬貨処理装置２０の収納繰出部３４に補充可能かを判定する判定手段９０とを備えている。【選択図】図１
2019144661.tif 000002
【特許請求の範囲】
【請求項１】
硬貨を収納するとともに収納されている硬貨を繰り出し可能な収納部を有する硬貨処理装置と、
前記硬貨処理装置とは別に設けられ、当該硬貨処理装置の前記収納部から繰り出された硬貨のうち前記硬貨処理装置から出金される硬貨以外の硬貨が送られて収納される予備硬貨収納体と、
前記硬貨処理装置の前記収納部に硬貨を補充する旨の指令が与えられたときに、前記予備硬貨収納体に収納されている硬貨を前記硬貨処理装置の前記収納部に補充可能かを判定する判定手段と、
を備えた、硬貨処理システム。
【請求項２】
前記硬貨処理装置から前記予備硬貨収納体に送られた硬貨の金種毎の枚数を計数する計数手段を更に備えた、請求項１記載の硬貨処理システム。
【請求項３】
前記硬貨処理装置に補充されるべき硬貨の金種毎の枚数と、前記計数手段による計数結果とを比較する比較手段を更に備え、前記判定手段は、前記比較手段による比較結果に基づいて、前記予備硬貨収納体に収納されている硬貨を前記硬貨処理装置の前記収納部に補充可能かを判定する、請求項２記載の硬貨処理システム。
【請求項４】
包装硬貨を収納する包装硬貨収納装置を更に備え、前記判定手段は、前記比較手段による比較結果に加えて、前記包装硬貨収納装置に収納されている包装硬貨の金種毎の本数を参照して、前記予備硬貨収納体に収納されている硬貨を前記硬貨処理装置の前記収納部に補充可能かを判定する、請求項３記載の硬貨処理システム。
【請求項５】
包装硬貨を収納する包装硬貨収納装置を更に備え、
前記予備硬貨収納体に収納されている硬貨および前記包装硬貨収納装置に収納されている包装硬貨のうち何れの硬貨を前記硬貨処理装置の前記収納部に補充するかを選択するための操作手段が設けられている、請求項１乃至３のいずれか一項に記載の硬貨処理システム。
【請求項６】
前記判定手段による判定結果を報知する報知手段を更に備えた、請求項１乃至５のいずれか一項に記載の硬貨処理システム。
【請求項７】
前記報知手段は前記予備硬貨収納体に設けられている、請求項６記載の硬貨処理システム。
【請求項８】
前記硬貨処理装置は、硬貨を筐体内に投入するための投入部を更に有しており、
前記予備硬貨収納体に収納されている硬貨が前記硬貨処理装置の前記収納部に補充される際に、当該予備硬貨収納体に収納されている硬貨が前記投入部から前記硬貨処理装置の前記筐体内に投入される、請求項１乃至７のいずれか一項に記載の硬貨処理システム。
【請求項９】
前記予備硬貨収納体は前記硬貨処理装置の前記投入部に装着可能となっており、
前記予備硬貨収納体が前記投入部に装着されたときに、前記予備硬貨収納体に収納されている硬貨が前記投入部から前記硬貨処理装置の前記筐体内に投入される、請求項８記載の硬貨処理システム。
【請求項１０】
前記予備硬貨収納体は、当該予備硬貨収納体に収納されている硬貨を外部に繰り出す繰出機構を有しており、
前記予備硬貨収納体に収納されている硬貨が前記硬貨処理装置の前記収納部に補充される際に、当該予備硬貨収納体に収納されている硬貨が前記繰出機構により前記硬貨処理装置の内部に繰り出される、請求項１乃至７のいずれか一項に記載の硬貨処理システム。
【請求項１１】
前記硬貨処理装置は、前記収納部から繰り出された硬貨を収納する追加収納部を有しており、
前記追加収納部から前記予備硬貨収納体に硬貨が送られるようになっている、請求項１乃至１０のいずれか一項に記載の硬貨処理システム。
【請求項１２】
前記予備硬貨収納体を位置固定でロックするためのロック機構を更に備え、
前記予備硬貨収納体に収納されている硬貨を前記硬貨処理装置の前記収納部に補充可能であると前記判定手段により判定されたときに前記ロック機構による前記予備硬貨収納体のロックが解除される、請求項１乃至１１のいずれか一項に記載の硬貨処理システム。
【請求項１３】
硬貨を収納するとともに収納されている硬貨を繰り出し可能な収納部を有する硬貨処理装置の前記収納部から硬貨を繰り出し、繰り出された硬貨のうち出金されるべき硬貨以外の硬貨を予備硬貨収納体に送って収納する工程と、
前記硬貨処理装置の前記収納部に硬貨を補充する旨の指令が与えられたときに、前記予備硬貨収納体に収納されている硬貨を前記硬貨処理装置の前記収納部に補充可能かを判定する工程と、
を備えた、硬貨処理方法。
【発明の詳細な説明】
【技術分野】
【０００１】
本発明は、硬貨を収納するとともに収納されている硬貨を繰り出し可能な収納部を有する硬貨処理装置を備えた硬貨処理システムおよびこのような硬貨処理システムによる硬貨処理方法に関する。
【背景技術】
【０００２】
スーパーマーケットやコンビニエンスストア等の商業施設の店舗において、商品棚が設置されるフロント領域の精算所には貨幣釣銭機がＰＯＳレジスタとともに設置されている。ここで、フロント領域の精算所に設置される貨幣釣銭機は、商品と引き換えに顧客から店員に手渡された貨幣の入金処理を行うとともに、釣銭としての貨幣の出金処理を行うことができるよう構成されている。このような貨幣釣銭機として、例えば特許文献１等に開示される貨幣処理装置が知られている。
【０００３】
特許文献１に開示される貨幣処理装置では、硬貨処理部や紙幣処理部の下方に第１収納ドロアおよび第２収納ドロアが当該貨幣処理装置の幅方向に並ぶよう設けられている。そして、硬貨処理部において入金された硬貨の量が所定の適正上限額を超えたときにはこの適正上限額を超えた分の硬貨が硬貨処理部から第１収納ドロアの回収硬貨収納トレーに送られて収納されるようになっている。また、第２収納ドロアには、包装硬貨を収納する棒金収納部が設けられている。
【先行技術文献】
【特許文献】
【０００４】
【特許文献１】特開２０１７−１２３０５６号公報
【発明の概要】
【発明が解決しようとする課題】
【０００５】
特許文献１に開示される貨幣処理装置では、硬貨処理部において釣銭としての硬貨が不足する場合に当該硬貨処理部に硬貨を補充する必要がある。ここで、硬貨処理部に硬貨を補充する際に、従来では、第２収納ドロアの棒金収納部から包装硬貨を取り出し、この取り出された包装硬貨の包装紙を解いてバラ硬貨とした後に、バラ硬貨を硬貨処理部に投入していた。しかしながら、このような硬貨の補充方法では、混雑が予想されるために予め多めの釣銭としての硬貨を貨幣処理装置に補充して準備しておきたいが、硬貨処理部において釣銭として不足する硬貨の枚数が例えば４０枚程度である場合には、包装硬貨１本分の硬貨（例えば５０枚の硬貨）を補充すると端数の硬貨（この場合は１０枚）がでてしまうため、硬貨処理部にて収納フル状態となってしまう。そして、このような収納フル状態を解除するために、別途、端数分の硬貨を回収する回収処理を行い、これらの端数分の硬貨を別途、別の装置（ドロアなど）に収納する等の手間がかかるという問題があった。
【０００６】
本発明は、このような点を考慮してなされたものであり、予備硬貨収納体に収納されている硬貨を硬貨処理装置の収納部に補充することにより、操作者の作業の効率化を図ることができる硬貨処理システムおよび硬貨処理方法を提供することを目的とする。
【課題を解決するための手段】
【０００７】
本発明の硬貨処理システムは、硬貨を収納するとともに収納されている硬貨を繰り出し可能な収納部を有する硬貨処理装置と、前記硬貨処理装置とは別に設けられ、当該硬貨処理装置の前記収納部から繰り出された硬貨のうち前記硬貨処理装置から出金される硬貨以外の硬貨が送られて収納される予備硬貨収納体と、前記硬貨処理装置の前記収納部に硬貨を補充する旨の指令が与えられたときに、前記予備硬貨収納体に収納されている硬貨を前記硬貨処理装置の前記収納部に補充可能かを判定する判定手段と、を備えたことを特徴とする。
【０００８】
このような硬貨処理システムによれば、硬貨処理装置の収納部に硬貨を補充する旨の指令が与えられたときに、予備硬貨収納体に収納されている硬貨を硬貨処理装置の収納部に補充可能かが判定されるため、予備硬貨収納体に収納されている硬貨を硬貨処理装置の収納部に補充することにより、操作者の作業の効率化を図ることができる。
【０００９】
本発明の硬貨処理システムは、前記硬貨処理装置から前記予備硬貨収納体に送られた硬貨の金種毎の枚数を計数する計数手段を更に備えていてもよい。
【００１０】
この場合、本発明の硬貨処理システムは、前記硬貨処理装置に補充されるべき硬貨の金種毎の枚数と、前記計数手段による計数結果とを比較する比較手段を更に備え、前記判定手段は、前記比較手段による比較結果に基づいて、前記予備硬貨収納体に収納されている硬貨を前記硬貨処理装置の前記収納部に補充可能かを判定してもよい。
【００１１】
また、本発明の硬貨処理システムは、包装硬貨を収納する包装硬貨収納装置を更に備え、前記判定手段は、前記比較手段による比較結果に加えて、前記包装硬貨収納装置に収納されている包装硬貨の金種毎の本数を参照して、前記予備硬貨収納体に収納されている硬貨を前記硬貨処理装置の前記収納部に補充可能かを判定してもよい。
【００１２】
また、本発明の硬貨処理システムは、包装硬貨を収納する包装硬貨収納装置を更に備え、前記予備硬貨収納体に収納されている硬貨および前記包装硬貨収納装置に収納されている包装硬貨のうち何れの硬貨を前記硬貨処理装置の前記収納部に補充するかを選択するための操作手段が設けられていてもよい。
【００１３】
また、本発明の硬貨処理システムは、前記判定手段による判定結果を報知する報知手段を更に備えていてもよい。
【００１４】
この場合、前記報知手段は前記予備硬貨収納体に設けられていてもよい。
【００１５】
また、前記硬貨処理装置は、硬貨を筐体内に投入するための投入部を更に有しており、前記予備硬貨収納体に収納されている硬貨が前記硬貨処理装置の前記収納部に補充される際に、当該予備硬貨収納体に収納されている硬貨が前記投入部から前記硬貨処理装置の前記筐体内に投入されてもよい。
【００１６】
この場合、前記予備硬貨収納体は前記硬貨処理装置の前記投入部に装着可能となっており、前記予備硬貨収納体が前記投入部に装着されたときに、前記予備硬貨収納体に収納されている硬貨が前記投入部から前記硬貨処理装置の前記筐体内に投入されてもよい。
【００１７】
また、前記予備硬貨収納体は、当該予備硬貨収納体に収納されている硬貨を外部に繰り出す繰出機構を有しており、前記予備硬貨収納体に収納されている硬貨が前記硬貨処理装置の前記収納部に補充される際に、当該予備硬貨収納体に収納されている硬貨が前記繰出機構により前記硬貨処理装置の内部に繰り出されてもよい。
【００１８】
また、前記硬貨処理装置は、前記収納部から繰り出された硬貨を収納する追加収納部を有しており、前記追加収納部から前記予備硬貨収納体に硬貨が送られるようになっていてもよい。
【００１９】
また、本発明の硬貨処理システムは、前記予備硬貨収納体を位置固定でロックするためのロック機構を更に備え、前記予備硬貨収納体に収納されている硬貨を前記硬貨処理装置の前記収納部に補充可能であると前記判定手段により判定されたときに前記ロック機構による前記予備硬貨収納体のロックが解除されてもよい。
【００２０】
本発明の硬貨処理方法は、硬貨を収納するとともに収納されている硬貨を繰り出し可能な収納部を有する硬貨処理装置の前記収納部から硬貨を繰り出し、繰り出された硬貨のうち出金されるべき硬貨以外の硬貨を予備硬貨収納体に送って収納する工程と、前記硬貨処理装置の前記収納部に硬貨を補充する旨の指令が与えられたときに、前記予備硬貨収納体に収納されている硬貨を前記硬貨処理装置の前記収納部に補充可能かを判定する工程と、を備えたことを特徴とする。
【００２１】
このような硬貨処理方法によれば、硬貨処理装置の収納部に硬貨を補充する旨の指令が与えられたときに、予備硬貨収納体に収納されている硬貨を硬貨処理装置の収納部に補充可能かが判定されるため、予備硬貨収納体に収納されている硬貨を硬貨処理装置の収納部に補充することにより、操作者の作業の効率化を図ることができる。
【発明の効果】
【００２２】
本発明の硬貨処理システムおよび硬貨処理方法によれば、予備硬貨収納体に収納されている硬貨を硬貨処理装置の収納部に補充することにより、操作者の作業の効率化を図ることができる。
【図面の簡単な説明】
【００２３】
【図１】本発明の実施の形態による貨幣処理システムの構成を示す斜視図である。
【図２】図１に示す貨幣処理システムにおける硬貨処理装置の内部を上方から鉛直方向下方に向かって見たときの構成を示す構成図である。
【図３】図１に示す貨幣処理システムにおける予備硬貨収納カセットの構成を示す斜視図である。
【図４】図３に示す予備硬貨収納カセットを図１に示す硬貨処理装置の硬貨投入部に装着したときの状態を示す斜視図である。
【図５】図１に示す貨幣処理システムにおける包装硬貨収納装置の構成を示す上面図である。
【図６】図１に示す貨幣処理システムにおける制御系の構成を示す機能ブロック図である。
【図７】図１に示す貨幣処理システムにおいて硬貨処理装置への硬貨の補充処理が行われる際の動作を示すフローチャートである。
【図８】図７に示すフローチャートに引き続く、図１に示す貨幣処理システムにおいて硬貨処理装置への硬貨の補充処理が行われる際の動作を示すフローチャートである。
【図９】変形例に係る貨幣処理システムの構成を示す斜視図である。
【発明を実施するための形態】
【００２４】
以下、図面を参照して本発明の実施の形態について説明する。図１乃至図９は、本実施の形態に係る貨幣処理システムを示す図である。このうち、図１は、本実施の形態による貨幣処理システムの構成を示す斜視図であり、図２は、図１に示す貨幣処理システムにおける硬貨処理装置の内部を上方から鉛直方向下方に向かって見たときの構成を示す構成図である。また、図３は、図１に示す貨幣処理システムにおける予備硬貨収納カセットの構成を示す斜視図であり、図４は、図３に示す予備硬貨収納カセットを図１に示す硬貨処理装置の硬貨投入部に装着したときの状態を示す斜視図である。また、図５は、図１に示す貨幣処理システムにおける包装硬貨収納装置の構成を示す上面図である。また、図６は、図１に示す貨幣処理システムにおける制御系の構成を示す機能ブロック図であり、図７および図８は、図１に示す貨幣処理システムにおいて硬貨処理装置への硬貨の補充処理が行われる際の動作を示すフローチャートである。また、図９は、変形例に係る貨幣処理システムの構成を示す斜視図である。
【００２５】
スーパーマーケット等の商業施設の店舗において、顧客が立ち入ることができるフロント領域には様々な商品が陳列された商品棚が設置されているとともに、このフロント領域の精算所には図１に示すような貨幣処理システム１０が設置されている。ここで、貨幣処理システム１０は、左右に並ぶよう配置された硬貨処理装置２０および紙幣処理装置７０を有している。硬貨処理装置２０は、売上金としての硬貨の入金処理および釣銭としての硬貨の出金処理を行うようになっている。また、紙幣処理装置７０は、売上金としての紙幣の入金処理および釣銭としての紙幣の出金処理を行うようになっている。また、硬貨処理装置２０の下方には、予備硬貨収納カセット６０が着脱自在に装着されるカセット装着部５４が配置されており、紙幣処理装置７０の下方には、包装硬貨を収納する包装硬貨収納装置７２が配置されている。また、図１における貨幣処理システム１０の上面の参照符合Ｐで示す領域にはＰＯＳレジスタを載置することができるようになっている。顧客がこのような精算所で精算処理を行う際に、店員は、顧客から受け取った商品の代金としての硬貨や紙幣を硬貨処理装置２０や紙幣処理装置７０に入金したり、釣銭としての硬貨や紙幣を硬貨処理装置２０や紙幣処理装置７０から出金して顧客に返却したりするようになっている。また、ＰＯＳレジスタにより、顧客が購入した商品に係る情報、および硬貨処理装置２０や紙幣処理装置７０に収納されている硬貨や紙幣に係る情報等の管理が行われるようになっている。このような貨幣処理システム１０における硬貨処理装置２０および予備硬貨収納カセット６０の詳細について図１乃至図８を用いて説明する。
【００２６】
図１等に示すように、硬貨処理装置２０は略直方体形状の筐体２１を備えており、この筐体２１の前面側には、硬貨の入金処理を行う際に操作者によって硬貨が投入される硬貨投入部２２と、硬貨の出金処理を行う際に硬貨が払い出される硬貨払出部５０と、硬貨の入金処理を行う際にリジェクト硬貨が払い出されるリジェクト部５２とがそれぞれ設けられている。また、筐体２１の内部には、硬貨を金種毎に収納する複数の収納繰出部３４が設けられている。ここで、複数の収納繰出部３４は筐体２１の奥行き方向（すなわち、図２の上下方向）に沿って並列に並ぶよう配置されており、各収納繰出部３４にはそれぞれ５００円硬貨、１００円硬貨、５０円硬貨、１０円硬貨、５円硬貨および１円硬貨が図２における下から順に収納されるようになっている。また、筐体２１の上面には、操作者が様々な指令を入力したり、硬貨処理装置２０や紙幣処理装置７０等の内部に収納されている貨幣の在高等の様々な情報を表示したりするためのタッチパネル等の操作表示部８２が設けられている。
【００２７】
硬貨投入部２２には、操作者により硬貨が投入される硬貨投入口２２ａが形成されており、硬貨投入口２２ａに投入された硬貨は当該硬貨の自重により落下して硬貨受入部２４（図２参照）に送られるようになっている。また、硬貨受入部２４には残留検知センサ（図示せず）が設けられており、硬貨受入部２４に受け入れられた硬貨は残留検知センサによって検知されるようになっている。また、硬貨受入部２４には、図２における左方向に移動する繰出ベルト等からなる硬貨繰出機構２４ａ（図６参照）が設けられており、硬貨受入部２４に受け入れられた硬貨が残留検知センサによって検知されるとこの硬貨繰出機構２４ａが駆動されることにより当該硬貨繰出機構２４ａによって硬貨が硬貨受入部２４から１枚ずつ繰り出されるようになっている。また、筐体２１の内部には、硬貨繰出機構２４ａによって硬貨受入部２４から繰り出された硬貨を１枚ずつ搬送する入金搬送部２６が設けられている。
【００２８】
図２に示すように、入金搬送部２６の途中には、硬貨の金種、真偽、正損、表裏、新旧、搬送状態等の識別を行う識別部２８が設けられている。また、入金搬送部２６による硬貨の搬送方向における識別部２８の下流側の箇所には、当該識別部２８により正常な硬貨ではないと識別された硬貨や識別部２８により識別することができなかった硬貨を入金搬送部２６から分岐させてリジェクトシュート３２によりリジェクト部５２に送るための第１分岐部３０が設けられている。
【００２９】
図２に示すように、入金搬送部２６による硬貨の搬送方向における第１分岐部３０の更に下流側の箇所には、各収納繰出部３４に対応して複数の金種別分岐部（図示せず）が直列に並ぶよう設けられている。これらの金種別分岐部により、入金搬送部２６により搬送される硬貨について、識別部２８により識別された金種に基づいて、各収納繰出部３４に割り当てられている金種に対応する硬貨が金種別分岐部により各収納繰出部３４に送られるようになる。また、各収納繰出部３４には、これらの収納繰出部３４に収納されている硬貨を１枚ずつ図２における右方向に繰り出す硬貨繰出機構３４ａ（図６参照）がそれぞれ設けられている。また、各収納繰出部３４には、硬貨繰出機構３４ａにより収納繰出部３４から繰り出される硬貨を検知する硬貨検知センサ３４ｂ（図６参照）が設けられている。このような硬貨検知センサ３４ｂによる硬貨の検知情報により、後述する制御部８０は、収納繰出部３４から繰り出された硬貨の金種毎の枚数に係る情報を取得することができるようになる。
【００３０】
図２に示すように、筐体２１の内部には、各収納繰出部３４から硬貨繰出機構３４ａにより繰り出された硬貨を硬貨払出部５０に搬送する出金搬送部３６が設けられている。より詳細には、図２において各収納繰出部３４から硬貨繰出機構３４ａにより硬貨が右方向に繰り出されるようになっており、出金搬送部３６は各収納繰出部３４から繰り出された硬貨を下方向に搬送して硬貨払出部５０に送るようになっている。また、硬貨払出部５０は筐体２１の外部に露出しており、操作者はこの硬貨払出部５０に集積されている硬貨を手で掴んで筐体２１の外部に取り出すことができるようになっている。
【００３１】
また、出金搬送部３６の途中には、当該出金搬送部３６から硬貨を分岐させる第２分岐部３８が設けられており、第２分岐部３８により出金搬送部３６から分岐させられた硬貨は分岐搬送部４０により硬貨受入部２４に送られるようになっている。また、分岐搬送部４０の途中には、当該分岐搬送部４０から硬貨を分岐させる第３分岐部４２が設けられており、第３分岐部４２により分岐搬送部４０から分岐させられた硬貨は追加収納部４４に送られてこの追加収納部４４に収納されるようになっている。また、追加収納部４４には、当該追加収納部４４に収納されている硬貨を１枚ずつ繰り出す硬貨繰出機構４４ａ（図６参照）が設けられており、硬貨繰出機構４４ａにより追加収納部４４から繰り出された硬貨は第４分岐部４６に送られるようになっている。第４分岐部４６は、硬貨繰出機構４４ａにより追加収納部４４から繰り出された硬貨を、出金搬送部３６および硬貨排出口４８のうちいずれか一方に振り分けるようになっている。硬貨繰出機構４４ａにより追加収納部４４から繰り出された硬貨のうち、第４分岐部４６により硬貨排出口４８に振り分けられた硬貨は、当該硬貨の自重によって硬貨排出口４８から筐体２１の下方に排出されるようになる。
【００３２】
次に、硬貨処理装置２０の下方に配置されているカセット装着部５４およびこのカセット装着部５４に着脱自在に装着される予備硬貨収納カセット６０の構成について図１、図３および図４を用いて説明する。
【００３３】
図３に示すように、カセット装着部５４に着脱自在に装着される予備硬貨収納カセット６０は、略直方体形状のケーシングを有しており、このケーシングの上面および下面にはそれぞれ開口６２、６４が形成されている。また、ケーシングの上面および下面には、各開口６２、６４をそれぞれ開閉するためのシャッター６２ａ、６４ａがそれぞれ設けられている。ここで、各シャッター６２ａ、６４ａは互いに独立して駆動されるようになっている。また、予備硬貨収納カセット６０がカセット装着部５４から取り外されているときの状態では、各シャッター６２ａ、６４ａにより開口６２、６４がそれぞれ閉じられるようになっている。一方、予備硬貨収納カセット６０がカセット装着部５４に装着されると、シャッター６２ａが駆動されて開口６２が開かれるようになっている。また、予備硬貨収納カセット６０がカセット装着部５４に装着されると、当該予備硬貨収納カセット６０の開口６２は硬貨処理装置２０の硬貨排出口４８の真下に位置するようになっている。このため、予備硬貨収納カセット６０がカセット装着部５４に装着されているときに、硬貨処理装置２０において第４分岐部４６により硬貨排出口４８に振り分けられた硬貨が当該硬貨の自重によって硬貨排出口４８から筐体２１の下方に排出されると、硬貨排出口４８から排出された硬貨は開口６２を通って予備硬貨収納カセット６０の内部に収納されるようになる。
【００３４】
また、本実施の形態の貨幣処理システム１０では、カセット装着部５４から取り外された予備硬貨収納カセット６０を硬貨処理装置２０の硬貨投入部２２に装着することができるようになっている。図４は、カセット装着部５４から取り外された予備硬貨収納カセット６０が硬貨処理装置２０の硬貨投入部２２に装着されたときの状態を示す斜視図である。図４に示すように予備硬貨収納カセット６０が硬貨投入部２２に装着されると、シャッター６４ａが駆動されて開口６４が開かれるようになっている。また、予備硬貨収納カセット６０が硬貨投入部２２に装着されると、当該予備硬貨収納カセット６０の開口６４は硬貨処理装置２０の硬貨投入口２２ａの真上に位置するようになっている。このため、予備硬貨収納カセット６０が硬貨投入部２２に装着されると、予備硬貨収納カセット６０に収納されている硬貨が当該硬貨の自重により開口６４から落下して硬貨投入口２２ａに入り、硬貨受入部２４に受け入れられるようになる。
【００３５】
また、図６に示すように、カセット装着部５４には、当該カセット装着部５４に装着されている予備硬貨収納カセット６０をロックするロック機構５６が設けられている。ロック機構５６により予備硬貨収納カセット６０がロックされると、カセット装着部５４から予備硬貨収納カセット６０を取り外すことができなくなる。一方、ロック機構５６による予備硬貨収納カセット６０のロックが解除されると、カセット装着部５４から予備硬貨収納カセット６０を手前側に取り外すことができるようになる。また、図１や図３等に示すように、予備硬貨収納カセット６０のケーシングの前面にはＬＥＤランプ６６が設けられている。
【００３６】
次に、硬貨処理装置２０の隣に配置されている紙幣処理装置７０の構成について簡単に説明する。図１に示すように、紙幣処理装置７０は略直方体形状の筐体を備えており、この筐体の前面には紙幣投入口７０ａおよび紙幣払出口７０ｂがそれぞれ形成されている。紙幣処理装置７０において紙幣の入金処理が行われる際に、操作者は紙幣投入口７０ａに投入するようになっている。また、紙幣処理装置７０において紙幣の出金処理が行われる際に、紙幣払出口７０ｂから紙幣が払い出されるようになっている。このような紙幣処理装置７０の構成の詳細については説明を省略する。
【００３７】
次に、紙幣処理装置７０の下方に配置されている包装硬貨収納装置７２の構成について図１および図５を用いて説明する。
【００３８】
図１および図５に示すように、包装硬貨収納装置７２は、手前側の側面が開口している略直方体形状の筐体７２ａと、筐体７２ａ内に収容可能となっているとともに当該筐体７２ａから手前側に引き出し可能な収納ドロア７８とを備えており、収納ドロア７８には各金種の包装硬貨が例えば２列で収納されるようになっている（図５において、収納ドロア７８に収納された各金種の包装硬貨を斜線で示している）。ここで、収納ドロア７８には、包装硬貨を１本ずつ収納する収納部（ポケット）が複数個形成されており、各収納部に収納される包装硬貨の金種毎の収納本数および位置が予め設定されている。具体的には、図５において参照符号Ａで示す領域には８本の１００円の包装硬貨が収納可能となっており、参照符号Ｂで示す領域には１本の５００円の包装硬貨が収納可能となっており、参照符号Ｃで示す領域には１本の５０円の包装硬貨が収納可能となっている。また、図５において参照符号Ｄで示す領域には６本の１０円の包装硬貨が収納可能となっており、参照符号Ｅで示す領域には４本の１円の包装硬貨が収納可能となっており、参照符号Ｆで示す領域には１本の５円の包装硬貨が収納可能となっている。
【００３９】
また、図６に示すように、包装硬貨収納装置７２の筐体７２ａの内部には、収納ドロア７８が筐体７２ａに完全に収容されたときに当該収納ドロア７８を筐体７２ａ内にロックするためのロック機構７４が設けられている。ここで、ロック機構７４が収納ドロア７８を筐体７２ａの内部にロックしたときには、この収納ドロア７８を筐体７２ａから手前側に引き出すことができなくなり、よって収納ドロア７８から包装硬貨を取り出すことができなくなる。
【００４０】
また、包装硬貨収納装置７２の筐体７２ａにおける前面開口の近傍には、収納ドロア７８が筐体７２ａから手前側に引き出されたり筐体７２ａの内部に戻されたりする際に当該収納ドロア７８に収納されている包装硬貨の金種毎の本数を検知する検知手段７６が設けられている。具体的には、図５に示すように、検知手段７６は左右一対の光センサ７６ａおよび筐体７２ａからの収納ドロア７８の引き出し量を検知するロータリエンコーダ７６ｂを有している。ここで、各光センサ７６ａは発光素子および受光素子を有しており、発光素子から発せられた光は、包装硬貨収納装置７２の幅方向（図５における左右方向）に延びる光軸を通って受光素子に送られるようになっている。そして、収納ドロア７８が筐体７２ａの内部に完全に収容されていたり当該収納ドロア７８が筐体７２ａから完全に引き出されたりしているときには、各光センサ７６ａにおいて発光素子から発せられた光は受光素子により受けられる。一方、収納ドロア７８が筐体７２ａから手前側に引き出されたり筐体７２ａの内部に戻されたりする際に、発光素子から発せられた光が収納ドロア７８内に収納された包装硬貨により遮られることにより受光素子に届かなくなり、このことにより包装硬貨の孔の有無や直径の大きさが検知されるようになる。前述したように、収納ドロア７８において、収納される包装硬貨の金種毎の収納本数および位置が予め設定されているため、光センサ７６ａにより検知された包装硬貨の孔の有無や直径の大きさ、ならびにロータリエンコーダ７６ｂにより検知された筐体７２ａからの収納ドロア７８の引き出し量に基づいて、収納ドロア７８に収納された包装硬貨の金種毎の本数、および各包装硬貨が収納ドロア７８内の所定の位置に正しく収納されているか否か等が検知されるようになっている。
【００４１】
また、図１に示すように、収納ドロア７８の前面にはＬＥＤランプ７９が設けられている。
【００４２】
なお、本実施の形態による包装硬貨収納装置７２は上記の構成のものに限定されることはない。他の構成の包装硬貨収納装置７２において、収納ドロア７８に収納されている包装硬貨の金種毎の本数を検知する検知手段７６として、収納ドロア７８の収納部に収納される包装硬貨の有無および金種を検出するセンサを全ての収納部に配置するような方式のものが用いられてもよい。
【００４３】
次に、このような構成からなる貨幣処理システム１０の制御系の構成について図６を用いて説明する。本実施の形態の貨幣処理システム１０には、硬貨処理装置２０、紙幣処理装置７０、カセット装着部５４および包装硬貨収納装置７２の制御をそれぞれ行う制御部８０が設けられている。具体的には、制御部８０には、硬貨処理装置２０の硬貨繰出機構２４ａ、入金搬送部２６、識別部２８、第１分岐部３０、各収納繰出部３４に設けられている硬貨繰出機構３４ａおよび硬貨検知センサ３４ｂ、出金搬送部３６、第２分岐部３８、分岐搬送部４０、第３分岐部４２、追加収納部４４に設けられている硬貨繰出機構４４ａおよび第４分岐部４６等が接続されている。ここで、識別部２８による硬貨の識別結果に係る情報や、各硬貨検知センサ３４ｂによる硬貨の検知結果に係る情報は制御部８０に送られるようになっている。また、硬貨処理装置２０の各構成部材に制御部８０から指令信号が送られることによりこれらの構成部材の制御が行われるようになっている。また、制御部８０には紙幣処理装置７０の各構成部材が接続されており、当該紙幣処理装置７０の各構成部材に制御部８０から指令信号が送られることによりこれらの構成部材の制御が行われるようになっている。また、制御部８０にはカセット装着部５４のロック機構５６が接続されており、このロック機構５６に制御部８０から指令信号が送られることにより当該ロック機構５６の制御が行われるようになっている。また、制御部８０には包装硬貨収納装置７２のロック機構７４および検知手段７６がそれぞれ接続されており、検知手段７６による包装硬貨の検知結果が制御部８０に送られるようになっている。また、ロック機構７４に制御部８０から指令信号が送られることにより当該ロック機構７４の制御が行われるようになっている。
【００４４】
また、図６に示すように、制御部８０には操作表示部８２、記憶部８４及び通信部８６がそれぞれ接続されている。上述したように、操作表示部８２は例えばタッチパネル等から構成されており、硬貨処理装置２０、紙幣処理装置７０および包装硬貨収納装置７２の内部に収納されている貨幣の在高等の様々な情報が操作表示部８２に表示されるようになっている。また、操作者は操作表示部８２により様々な指令を制御部８０に入力することができるようになっている。また、記憶部８４には、硬貨処理装置２０や紙幣処理装置７０における硬貨や紙幣の入金処理や出金処理等の処理履歴や、硬貨処理装置２０、紙幣処理装置７０および包装硬貨収納装置７２の内部に収納されている貨幣の在高等に関する情報が記憶されるようになっている。また、制御部８０は通信部８６を介して本実施の形態による貨幣処理システム１０とは別に設けられた外部装置（具体的には、例えばＰＯＳレジスタ）に対して信号の送受信を行うことができるようになっている。
【００４５】
また、本実施の形態では、制御部８０には判定手段９０、計数手段９２および比較手段９４がそれぞれ接続されている。判定手段９０は、硬貨処理装置２０の収納繰出部３４に硬貨を補充する旨の指令が制御部８０に与えられたときに、予備硬貨収納カセット６０に収納されている硬貨を硬貨処理装置２０の収納繰出部３４に補充可能かを判定するようになっている。また、計数手段９２は、各硬貨検知センサ３４ｂによる検知結果に基づいて、硬貨処理装置２０から予備硬貨収納カセット６０に送られた硬貨の金種毎の枚数（すなわち、予備硬貨収納カセット６０に収納されている硬貨の金種毎の枚数）を計数するようになっている。また、比較手段９４は、硬貨処理装置２０に補充されるべき硬貨の金種毎の枚数と、計数手段９２による計数結果とを比較するようになっており、判定手段９０は、比較手段９４による比較結果に基づいて、予備硬貨収納カセット６０に収納されている硬貨を硬貨処理装置２０の収納繰出部３４に補充可能かを判定するようになっている。これらの判定手段９０、計数手段９２および比較手段９４の機能の詳細については後述する。
【００４６】
次に、このような構成からなる硬貨処理装置２０の動作について説明する。なお、以下に示すような硬貨処理装置２０の動作は、制御部８０が硬貨処理装置２０の各構成部材を制御することにより行われるようになっている。
【００４７】
まず、硬貨処理装置２０において硬貨の入金処理が行われる際の動作について説明する。硬貨処理装置２０において硬貨の入金処理が行われる際に、操作者は最初に筐体２１の上面手前側に設けられた硬貨投入口２２ａに硬貨を投入する。硬貨投入口２２ａに投入された硬貨は硬貨受入部２４に受け入れられるようになる。そして、硬貨受入部２４に受け入れられた硬貨が残留検知センサにより検知されると、硬貨繰出機構２４ａが駆動されることにより当該硬貨繰出機構２４ａによって硬貨が硬貨受入部２４から１枚ずつ図２における左方向に繰り出される。そして、硬貨繰出機構２４ａによって硬貨受入部２４から繰り出された硬貨は入金搬送部２６により１枚ずつ搬送され、識別部２８によりその金種、真偽、正損、表裏、新旧、搬送状態等の識別が行われる。ここで、識別部２８により正常であると識別された硬貨は第１分岐部３０により入金搬送部２６から分岐させられることなく当該入金搬送部２６により筐体２１の奥側の領域に送られ、各金種別分岐部により金種毎に入金搬送部２６から分岐させられることにより各収納繰出部３４に金種毎に収納されるようになる。一方、識別部２８により正常な硬貨ではないと識別された硬貨や識別部２８により識別することができなかった硬貨はリジェクト硬貨として第１分岐部３０により入金搬送部２６から分岐させられ、この分岐させられたリジェクト硬貨はリジェクトシュート３２によりリジェクト部５２に送られる。また、上述したように、リジェクト部５２は筐体２１の前面側からアクセス可能となっているため、リジェクト部５２に送られたリジェクト硬貨を操作者は筐体２１の前面側から当該筐体２１の外部に取り出して硬貨投入口２２ａに再投入等することができるようになる。
【００４８】
また、上述した硬貨の入金処理が行われる途中で、ある収納繰出部３４がフル状態またはニアフル状態になると、硬貨繰出機構２４ａによる硬貨受入部２４からの硬貨の繰り出し動作や入金搬送部２６による硬貨の搬送動作が中断される。そして、フル状態またはニアフル状態になった収納繰出部３４から一部の硬貨が硬貨繰出機構３４ａによって出金搬送部３６に繰り出され、この出金搬送部３６により硬貨が搬送される。そして、出金搬送部３６により搬送される硬貨が第２分岐部３８に到達すると、当該第２分岐部３８により出金搬送部３６から硬貨が分岐搬送部４０に分岐させられ、分岐させられた硬貨は分岐搬送部４０により搬送される。また、分岐搬送部４０により搬送される硬貨は第３分岐部４２により追加収納部４４に分岐させられる。このことにより、収納繰出部３４から繰り出された硬貨は追加収納部４４に収納されるようになる。このような収納繰出部３４から追加収納部４４に硬貨を送る動作は、収納繰出部３４における硬貨の収納枚数が所定の閾値よりも小さくなるまで行われる。その後、追加収納部４４から硬貨繰出機構４４ａにより硬貨が１枚ずつ第４分岐部４６に繰り出され、繰り出された硬貨はこの第４分岐部４６により硬貨排出口４８に振り分けられる。このことにより、硬貨排出口４８から排出された硬貨は予備硬貨収納カセット６０に収納される。また、収納繰出部３４から硬貨繰出機構３４ａによって出金搬送部３６に繰り出される硬貨は当該収納繰出部３４に設けられている硬貨検知センサ３４ｂによって検知される。このことにより、計数手段９２は、硬貨検知センサ３４ｂによる硬貨の検知結果に基づいて、硬貨処理装置２０（具体的には、収納繰出部３４）から予備硬貨収納カセット６０に送られた硬貨の金種毎の枚数を計数するようになる。なお、予備硬貨収納カセット６０がカセット装着部５４から取り外されている場合には、収納繰出部３４から追加収納部４４に送られた硬貨は当該追加収納部４４に保留される。そして、予備硬貨収納カセット６０がカセット装着部５４に装着されると、追加収納部４４から硬貨繰出機構４４ａにより硬貨が１枚ずつ第４分岐部４６に繰り出される。このようにして、追加収納部４４から繰り出された硬貨が第４分岐部４６により硬貨排出口４８に振り分けられることにより、硬貨排出口４８から排出された硬貨が予備硬貨収納カセット６０に収納される。その後、硬貨繰出機構２４ａによる硬貨受入部２４からの硬貨の繰り出し動作や入金搬送部２６による硬貨の搬送動作が再開される。
【００４９】
次に、硬貨処理装置２０において硬貨の出金処理が行われる際の動作について説明する。操作者が操作表示部８２によって出金されるべき硬貨の金種毎の枚数や合計金額等の出金処理に係る情報を制御部８０に入力したり、外部装置から通信部８６を介して制御部８０に出金されるべき硬貨の金種毎の枚数や合計金額等の出金処理に係る情報が送られたりすると、出金されるべき硬貨の金種に対応する収納繰出部３４において硬貨繰出機構３４ａにより当該収納繰出部３４から出金されるべき枚数分の硬貨が出金搬送部３６に繰り出される。また、硬貨繰出機構３４ａにより収納繰出部３４から繰り出された硬貨は硬貨検知センサ３４ｂにより検知される。そして、出金搬送部３６に繰り出された硬貨は当該出金搬送部３６により硬貨払出部５０に搬送される。なお、この際に出金搬送部３６により搬送される硬貨は第２分岐部３８により分岐搬送部４０に分岐させられることはない。また、上述したように、硬貨払出部５０は筐体２１の前面側からアクセス可能となっているため、操作者は硬貨払出部５０に手を入れることにより出金硬貨を筐体２１の前面側から当該筐体２１の外部に取り出すことができるようになる。
【００５０】
次に、硬貨処理装置２０において硬貨の精査処理が行われる際の動作について説明する。なお、硬貨の精査処理とは、各収納繰出部３４に収納されている硬貨の在高（具体的には、各収納繰出部３４に収納されている硬貨の金種毎の枚数や合計金額）を確認する処理のことをいう。操作者が操作表示部８２によって硬貨の精査処理開始の指令を制御部８０に入力したり、外部装置から通信部８６を介して制御部８０に硬貨の精査処理開始の指令が送られたりすると、複数の収納繰出部３４のうちある収納繰出部３４から硬貨繰出機構３４ａにより硬貨が１枚ずつ出金搬送部３６に繰り出され、この出金搬送部３６により硬貨が搬送される。そして、出金搬送部３６により搬送される硬貨が第２分岐部３８に到達すると、当該第２分岐部３８により出金搬送部３６から硬貨が分岐搬送部４０に分岐させられ、分岐させられた硬貨は分岐搬送部４０により搬送される。また、分岐搬送部４０により搬送される硬貨は第３分岐部４２により追加収納部４４に分岐させられる。このことにより、収納繰出部３４から繰り出された硬貨は追加収納部４４に収納されるようになる。
【００５１】
そして、ある収納繰出部３４から硬貨が全て追加収納部４４に送られ、この収納繰出部３４が空状態になると、追加収納部４４から硬貨繰出機構４４ａにより硬貨が１枚ずつ第４分岐部４６に繰り出され、繰り出された硬貨はこの第４分岐部４６により出金搬送部３６に振り分けられる。また、第４分岐部４６により出金搬送部３６に振り分けられた硬貨は当該出金搬送部３６により搬送され、第２分岐部３８により分岐搬送部４０に分岐させられた後、当該分岐搬送部４０により硬貨受入部２４に搬送される。そして、分岐搬送部４０から硬貨受入部２４に送られた硬貨が当該硬貨受入部２４に設けられている残留検知センサにより検知されると、硬貨繰出機構２４ａが駆動されることにより当該硬貨繰出機構２４ａによって硬貨が硬貨受入部２４から１枚ずつ入金搬送部２６に繰り出される。その後、入金搬送部２６により硬貨が１枚ずつ搬送され、識別部２８によりその金種、真偽、正損、表裏、新旧、搬送状態等の識別が行われる。そして、識別部２８により識別が行われた硬貨は入金搬送部２６により筐体２１の奥側の領域に送られ、各金種別分岐部により金種毎に入金搬送部２６から分岐させられることにより元の収納繰出部３４に戻されるようになる。このような動作が全ての収納繰出部３４において収納繰出部３４毎に行われる。このようにして、識別部２８による硬貨の識別結果に基づいて各収納繰出部３４に収納されている硬貨の在高を確認することができるようになる。
【００５２】
次に、硬貨処理装置２０において硬貨の補充処理が行われる際の動作について図７および図８に示すフローチャートを用いて説明する。本実施の形態では、カセット装着部５４に装着されている予備硬貨収納カセット６０に収納されている硬貨、および包装硬貨収納装置７２に収納されている包装硬貨のうちいずれか一方の硬貨が硬貨投入口２２ａに投入されることによって各収納繰出部３４に硬貨が補充されるようになっている。より詳細には、硬貨処理装置２０に補充されるべき硬貨の金種毎の枚数や合計金額等の情報が操作者によって操作表示部８２により制御部８０に入力されたり、硬貨処理装置２０に補充されるべき硬貨の金種毎の枚数や合計金額等の情報が外部装置から通信部８６を介して制御部８０に送られたりすることにより、硬貨処理装置２０の各収納繰出部３４に硬貨を補充する旨の指令が制御部８０に与えられると（ＳＴＥＰ１のＹＥＳ）、硬貨処理装置２０に補充されるべき硬貨の金種毎の枚数と、計数手段９２による計数結果に基づいた、予備硬貨収納カセット６０に収納されている硬貨の金種毎の枚数とが比較手段９４により比較される。そして、判定手段９０は、比較手段９４による比較結果に基づいて、予備硬貨収納カセット６０に収納されている硬貨を硬貨処理装置２０の収納繰出部３４に補充可能かを判定する。また、本実施の形態では、判定手段９０は、比較手段９４による比較結果に加えて、包装硬貨収納装置７２に収納されている包装硬貨の金種毎の本数を参照して、予備硬貨収納カセット６０に収納されている硬貨を硬貨処理装置２０の収納繰出部３４に補充可能かを判定するようになっている。
【００５３】
より詳細に説明すると、比較手段９４による比較結果において、硬貨の各々の金種について、計数手段９２による計数結果に基づいた予備硬貨収納カセット６０に収納されている硬貨の枚数が、硬貨処理装置２０に補充されるべき硬貨の枚数以上である場合には（ＳＴＥＰ２の「ＹＥＳ」）、判定手段９０は、予備硬貨収納カセット６０に収納されている硬貨を硬貨処理装置２０の収納繰出部３４に補充可能であると判定する（ＳＴＥＰ３）。そして、この場合には、カセット装着部５４においてロック機構５６による予備硬貨収納カセット６０のロックが解除され（ＳＴＥＰ４）、操作者はカセット装着部５４から予備硬貨収納カセット６０を取り外すことができるようになる。また、予備硬貨収納カセット６０に設けられているＬＥＤランプ６６が点灯することにより（ＳＴＥＰ５）、予備硬貨収納カセット６０に収納されている硬貨を硬貨処理装置２０に補充する旨のガイダンスが操作者に報知される。
【００５４】
その後、図４に示すように、操作者がカセット装着部５４から予備硬貨収納カセット６０を取り外し、この予備硬貨収納カセット６０を硬貨処理装置２０の硬貨投入部２２に装着すると（ＳＴＥＰ６の「ＹＥＳ」）、予備硬貨収納カセット６０のシャッター６４ａが駆動されて開口６４が開かれる。このことにより、予備硬貨収納カセット６０に収納されている硬貨が当該硬貨の自重により開口６４から落下して硬貨投入口２２ａに入り、硬貨受入部２４に受け入れられる（ＳＴＥＰ７）。その後、硬貨受入部２４に受け入れられた硬貨が識別部２８により識別された後に各収納繰出部３４に金種毎に収納される（ＳＴＥＰ８）。このようにして、予備硬貨収納カセット６０に収納されている硬貨が硬貨処理装置２０に補充されるようになる。
【００５５】
なお、上述した硬貨の補充処理が行われる途中で、ある収納繰出部３４がフル状態またはニアフル状態になると（ＳＴＥＰ１５の「ＹＥＳ」）、硬貨繰出機構２４ａによる硬貨受入部２４からの硬貨の繰り出し動作や入金搬送部２６による硬貨の搬送動作が中断される。そして、フル状態またはニアフル状態になった収納繰出部３４に収納されている硬貨のうち一部の硬貨が硬貨繰出機構３４ａによって出金搬送部３６に繰り出され、この出金搬送部３６により硬貨が搬送される（ＳＴＥＰ１６）。そして、出金搬送部３６により搬送される硬貨が第２分岐部３８に到達すると、当該第２分岐部３８により出金搬送部３６から硬貨が分岐搬送部４０に分岐させられ、分岐させられた硬貨は分岐搬送部４０により搬送される。また、分岐搬送部４０により搬送される硬貨は第３分岐部４２により追加収納部４４に分岐させられる。このことにより、収納繰出部３４から繰り出された硬貨は追加収納部４４に収納されるようになる（ＳＴＥＰ１６）。このような収納繰出部３４から追加収納部４４に硬貨を送る動作は、収納繰出部３４における硬貨の収納枚数が所定の閾値よりも小さくなるまで行われる。その後、カセット装着部５４から取り外されていた予備硬貨収納カセット６０がカセット装着部５４に装着されると（ＳＴＥＰ１７の「ＹＥＳ」）、追加収納部４４から硬貨繰出機構４４ａにより硬貨が１枚ずつ第４分岐部４６に繰り出され、追加収納部４４から繰り出された硬貨がこの第４分岐部４６により硬貨排出口４８に振り分けられる。このことにより、硬貨排出口４８から排出された硬貨が予備硬貨収納カセット６０に収納される（ＳＴＥＰ１８）。その後、硬貨繰出機構２４ａによる硬貨受入部２４からの硬貨の繰り出し動作や入金搬送部２６による硬貨の搬送動作が再開される。
【００５６】
一方、比較手段９４による比較結果において、ある一つの金種でも、計数手段９２による計数結果に基づいた予備硬貨収納カセット６０に収納されている硬貨の枚数が、硬貨処理装置２０に補充されるべき硬貨の枚数より少ない場合には（ＳＴＥＰ２の「ＮＯ」）、判定手段９０は、予備硬貨収納カセット６０に収納されている硬貨を硬貨処理装置２０の収納繰出部３４に補充可能ではないと判定する（ＳＴＥＰ９）。また、この場合には、硬貨の各々の金種において、包装硬貨収納装置７２に収納されている包装硬貨を構成する硬貨の枚数が、硬貨処理装置２０に補充されるべき硬貨の枚数以上である場合には（ＳＴＥＰ１０の「ＹＥＳ」）、判定手段９０は、包装硬貨収納装置７２に収納されている包装硬貨を硬貨処理装置２０の収納繰出部３４に補充可能であると判定する（ＳＴＥＰ１１）。そして、この場合には、包装硬貨収納装置７２においてロック機構７４による収納ドロア７８のロックが解除され（ＳＴＥＰ１２）、操作者は包装硬貨収納装置７２の筐体７２ａから収納ドロア７８を手前側に引き出すことができるようになる。また、収納ドロア７８の前面に設けられているＬＥＤランプ７９が点灯することにより（ＳＴＥＰ１３）、収納ドロア７８に収納されている硬貨を硬貨処理装置２０に補充する旨のガイダンスが操作者に報知される。
【００５７】
その後、操作者が収納ドロア７８から包装硬貨を取り出し、この取り出された包装硬貨の包装紙等を解くことによってバラ硬貨とした後、バラ状態とされた硬貨を硬貨投入口２２ａに投入する（ＳＴＥＰ１４の「ＹＥＳ」）。このことにより、硬貨受入部２４に受け入れられた硬貨が識別部２８により識別された後に各収納繰出部３４に金種毎に収納される（ＳＴＥＰ８）。このようにして、包装硬貨収納装置７２に収納されている包装硬貨が硬貨処理装置２０に補充されるようになる。
【００５８】
また、ある一つの金種でも、包装硬貨収納装置７２に収納されている包装硬貨を構成する硬貨の枚数が、硬貨処理装置２０に補充されるべき硬貨の枚数より少ない場合には（ＳＴＥＰ１０の「ＮＯ」）、判定手段９０は、包装硬貨収納装置７２に収納されている包装硬貨を硬貨処理装置２０の収納繰出部３４に補充可能ではないと判定する（ＳＴＥＰ１９）。この場合には、硬貨処理装置２０に補充されるべき硬貨として、予備硬貨収納カセット６０に収納されている硬貨および包装硬貨収納装置７２に収納されている包装硬貨の何れも数が不十分であるため、硬貨処理装置２０に補充されるべき硬貨を貨幣処理システム１０の外部から持ってくることを操作者に促す旨のメッセージ等が操作表示部８２に表示される（ＳＴＥＰ２０）。このことにより、操作者は、予備硬貨収納カセット６０に収納されている硬貨や、包装硬貨収納装置７２に収納されている包装硬貨以外の硬貨を貨幣処理システム１０の外部から持ってきてこの硬貨を硬貨投入口２２ａに投入するようになる（ＳＴＥＰ２１の「ＹＥＳ」）。この場合でも、硬貨受入部２４に受け入れられた硬貨が識別部２８により識別された後に各収納繰出部３４に金種毎に収納される（ＳＴＥＰ８）。
【００５９】
なお、硬貨の各々の金種について、包装硬貨収納装置７２に収納されている包装硬貨を構成する硬貨の枚数および予備硬貨収納カセット６０に収納されている硬貨の枚数の合計が、硬貨処理装置２０に補充されるべき硬貨の枚数より多い場合には、包装硬貨収納装置７２に収納されている包装硬貨および予備硬貨収納カセット６０に収納されている硬貨の両方を硬貨処理装置２０に補充することを操作者に促す旨のメッセージが操作表示部８２に表示されてもよい。この場合には、カセット装着部５４のロック機構５６による予備硬貨収納カセット６０のロックおよび包装硬貨収納装置７２のロック機構７４による収納ドロア７８のロックがそれぞれ解除される。また、ＬＥＤランプ６６およびＬＥＤランプ７９の両方が点灯する。このことにより、操作者は、包装硬貨収納装置７２に収納されている包装硬貨の包装紙等を解いてバラ硬貨としたものおよび予備硬貨収納カセット６０に収納されている硬貨の両方を硬貨処理装置２０に補充するようになる。
【００６０】
また、上述したように、判定手段９０は、比較手段９４による比較結果に基づいて、予備硬貨収納カセット６０に収納されている硬貨を硬貨処理装置２０の収納繰出部３４に補充可能かを判定するようになっているが、このような判定手段９０による判定結果にかかわらず、操作者は操作表示部８２によって予備硬貨収納カセット６０に収納されている硬貨および包装硬貨収納装置７２に収納されている包装硬貨のうち何れの硬貨を硬貨処理装置２０の収納繰出部３４に補充するかを選択することができるようになっていてもよい。具体的には、硬貨処理装置２０の収納繰出部３４に硬貨を補充する旨の指令が制御部８０に入力されると、予備硬貨収納カセット６０に収納されている硬貨の金種毎の枚数と、包装硬貨収納装置７２に収納されている包装硬貨の金種毎の本数とがそれぞれ操作表示部８２に表示される。そして、操作者は操作表示部８２に表示される画面を参照しながら、予備硬貨収納カセット６０に収納されている硬貨および包装硬貨収納装置７２に収納されている包装硬貨のうち何れの硬貨を硬貨処理装置２０の収納繰出部３４に補充するかを操作表示部８２により選択する。
【００６１】
ここで、予備硬貨収納カセット６０に収納されている硬貨を硬貨処理装置２０の収納繰出部３４に補充することが操作表示部８２により選択された場合には、カセット装着部５４においてロック機構５６による予備硬貨収納カセット６０のロックが解除され、操作者はカセット装着部５４から予備硬貨収納カセット６０を取り外すことができるようになる。また、予備硬貨収納カセット６０に設けられているＬＥＤランプ６６が点灯する。その後、操作者がカセット装着部５４から予備硬貨収納カセット６０を取り外し、この予備硬貨収納カセット６０を硬貨処理装置２０の硬貨投入部２２に装着すると、予備硬貨収納カセット６０のシャッター６４ａが駆動されて開口６４が開かれる。このことにより、予備硬貨収納カセット６０に収納されている硬貨が硬貨受入部２４に受け入れられ、その後、硬貨受入部２４に受け入れられた硬貨が識別部２８により識別された後に各収納繰出部３４に金種毎に収納される。
【００６２】
また、包装硬貨収納装置７２に収納されている包装硬貨を硬貨処理装置２０の収納繰出部３４に補充することが操作表示部８２により選択された場合には、包装硬貨収納装置７２においてロック機構７４による収納ドロア７８のロックが解除され、操作者は包装硬貨収納装置７２の筐体７２ａから収納ドロア７８を手前側に引き出すことができるようになる。また、収納ドロア７８の前面に設けられているＬＥＤランプ７９が点灯する。その後、操作者が収納ドロア７８から包装硬貨を取り出し、この取り出された包装硬貨の包装紙等を解くことによってバラ硬貨とした後、バラ状態とされた硬貨を硬貨投入口２２ａに投入する。このことにより、硬貨受入部２４に受け入れられた硬貨が識別部２８により識別された後に各収納繰出部３４に金種毎に収納される。
【００６３】
また、本実施の形態では、比較手段９４による比較結果において、硬貨の各々の金種について、予備硬貨収納カセット６０に収納されている硬貨の枚数が、硬貨処理装置２０に補充されるべき硬貨の枚数以上である場合でも、硬貨処理装置２０に補充されるべき硬貨の枚数が、包装硬貨収納装置７２に収納されている包装硬貨を構成するバラ硬貨の枚数の整数倍であるときには、判定手段９０は、包装硬貨収納装置７２に収納されている包装硬貨を硬貨処理装置２０の収納繰出部３４に補充可能であると判定するようになっていてもよい。具体的には、包装硬貨収納装置７２に収納されている包装硬貨について、当該包装硬貨の金種が１円、５円、１０円、５０円および１００円である場合には、当該包装硬貨は５０枚のバラ硬貨から構成される。また、包装硬貨の金種が５００円である場合には、当該包装硬貨は２０枚のバラ硬貨から構成される。そして、硬貨処理装置２０に補充されるべき硬貨として、例えば１０円硬貨が１００枚であるという情報が制御部８０に入力された場合には、判定手段９０は、予備硬貨収納カセット６０に収納されている１０円硬貨の枚数が１００枚以上であるときでも、予備硬貨収納カセット６０に収納されている硬貨ではなく包装硬貨収納装置７２に収納されている包装硬貨を硬貨処理装置２０の収納繰出部３４に補充可能であると判定する。また、更に別の例として、このような場合に、操作者は操作表示部８２によって予備硬貨収納カセット６０に収納されている硬貨および包装硬貨収納装置７２に収納されている包装硬貨のうち何れの硬貨を硬貨処理装置２０の収納繰出部３４に補充するかを選択することができるようになっていてもよい。
【００６４】
以上のような構成からなる本実施の形態の貨幣処理システム１０（硬貨処理システム）によれば、硬貨処理装置２０の収納繰出部３４から繰り出された硬貨のうち硬貨処理装置２０から出金される硬貨以外の硬貨が送られて収納される予備硬貨収納体として予備硬貨収納カセット６０が硬貨処理装置２０とは別に設けられており、判定手段９０は、硬貨処理装置２０の収納繰出部３４に硬貨を補充する旨の指令が与えられたときに、予備硬貨収納カセット６０に収納されている硬貨を硬貨処理装置２０の収納繰出部３４（収納部）に補充可能かを判定するようになっている。このような貨幣処理システム１０によれば、予備硬貨収納体としての予備硬貨収納カセット６０に収納されている硬貨を硬貨処理装置２０の収納繰出部３４に補充することにより、操作者の作業の効率化を図ることができる。
【００６５】
より詳細に説明すると、従来の貨幣処理システムでは、硬貨処理装置の収納繰出部に硬貨を補充する際に、包装硬貨収納装置の収納ドロアから包装硬貨を取り出し、この取り出された包装硬貨の包装紙を解いてバラ硬貨とした後に、バラ硬貨を硬貨処理装置の硬貨投入口に投入していた。しかしながら、このような硬貨の補充方法では、収納繰出部において釣銭として不足する硬貨の枚数が例えば数枚程度であり、包装硬貨１本分の硬貨（具体的には、例えば５０枚の硬貨）を収納繰出部に補充する必要がない場合でも、包装硬貨収納装置の収納ドロアから取り出された包装硬貨を収納繰出部に必ず補充していた。しかしながら、このような硬貨の補充方法では、包装硬貨の包装紙を解く作業は操作者にとって手間がかかるという問題があった。これに対し、本実施の形態の貨幣処理システム１０では、予備硬貨収納体としての予備硬貨収納カセット６０に収納されている硬貨を硬貨処理装置２０の収納繰出部３４（収納部）に補充することができ、この場合には包装硬貨収納装置７２の収納ドロア７８から取り出された包装硬貨の包装紙等を解く手間を省くことができるため、操作者の作業の効率化を図ることができる。
【００６６】
なお、本実施の形態による貨幣処理システムは、上述したような態様に限定されることはなく、様々な変更を加えることができる。
【００６７】
例えば、図１に示す貨幣処理システム１０は、硬貨処理装置２０、紙幣処理装置７０、カセット装着部５４および包装硬貨収納装置７２から構成されているが、本実施の形態による貨幣処理システムはこのような態様のものに限定されることはない。本実施の形態による貨幣処理システムにおいて紙幣処理装置７０が省略されており、硬貨のみの処理が当該貨幣処理システムにおいて行われるようになっていてもよい。この場合には、硬貨処理装置２０、カセット装着部５４および包装硬貨収納装置７２から構成される貨幣処理システムが本発明に係る硬貨処理システムとして機能する。また、本実施の形態による貨幣処理システムにおいて包装硬貨収納装置７２が省略されており、バラ硬貨のみの処理、あるいはバラ硬貨およびバラ紙幣のみの処理が当該貨幣処理システムにおいて行われるようになっていてもよい。包装硬貨収納装置７２が省略されている場合には、包装硬貨の包装紙等を解くことによってバラ硬貨とした後にこのバラ硬貨を硬貨処理装置２０の硬貨投入口２２ａに投入することができなくなるが、この場合でもカセット装着部５４から取り外された予備硬貨収納カセット６０に収納されている硬貨を硬貨処理装置２０の硬貨受入部２４に受け入れさせることによって各収納繰出部３４に硬貨を補充することができるようになる。
【００６８】
また、硬貨処理装置２０の下方にカセット装着部５４を設ける代わりに、硬貨を収納する硬貨収納トレーが引き出し可能に収容されるトレー収容部が硬貨処理装置２０の下方に設けられていてもよい。このような変形例に係る貨幣処理システム１０ａについて図９を用いて説明する。
【００６９】
図９に示すように、変形例に係る貨幣処理システム１０ａでは硬貨処理装置２０の下方にトレー収容部５７が設けられており、このトレー収容部５７には硬貨を収納する硬貨収納トレー５８（予備硬貨収納体）が引き出し可能に収容されている。また、トレー収容部５７はその上面が開口している。このため、硬貨収納トレー５８がトレー収容部５７に収容されているときに、硬貨処理装置２０において第４分岐部４６により硬貨排出口４８に振り分けられた硬貨が当該硬貨の自重によって硬貨排出口４８から筐体２１の下方に排出されると、硬貨排出口４８から排出された硬貨は開口６２を通ってトレー収容部５７に収納されるようになる。
【００７０】
また、トレー収容部５７には、当該トレー収容部５７に収容されている硬貨収納トレー５８をロックするロック機構（図示せず）が設けられている。ロック機構により硬貨収納トレー５８がロックされると、トレー収容部５７から硬貨収納トレー５８を引き出すことができなくなる。一方、ロック機構による硬貨収納トレー５８のロックが解除されると、トレー収容部５７から硬貨収納トレー５８を手前側に引き出すことができるようになる。また、図９に示すように、硬貨収納トレー５８の前面にはＬＥＤランプ５９が設けられている。
【００７１】
また、図９に示す貨幣処理システム１０ａでは、計数手段９２は、硬貨処理装置２０から硬貨収納トレー５８に送られた硬貨の金種毎の枚数を計数するようになっている。
【００７２】
次に、図９に示す貨幣処理システム１０ａの硬貨処理装置２０において硬貨の補充処理が行われる際の動作について説明する。図９に示す貨幣処理システム１０ａでは、トレー収容部５７に収容されている硬貨収納トレー５８に収納されている硬貨、および包装硬貨収納装置７２に収納されている包装硬貨のうちいずれか一方の硬貨が硬貨投入口２２ａに投入されることによって各収納繰出部３４に硬貨が補充されるようになっている。より詳細には、硬貨処理装置２０に補充されるべき硬貨の金種毎の枚数や合計金額等の情報が操作者によって操作表示部８２により制御部８０に入力されたり、硬貨処理装置２０に補充されるべき硬貨の金種毎の枚数や合計金額等の情報が外部装置から通信部８６を介して制御部８０に送られたりすることにより、硬貨処理装置２０の各収納繰出部３４に硬貨を補充する旨の指令が制御部８０に与えられると、硬貨処理装置２０に補充されるべき硬貨の金種毎の枚数と、計数手段９２による計数結果に基づいた、硬貨収納トレー５８に収納されている硬貨の金種毎の枚数とが比較手段９４により比較される。そして、判定手段９０は、比較手段９４による比較結果に基づいて、硬貨収納トレー５８に収納されている硬貨を硬貨処理装置２０の収納繰出部３４に補充可能かを判定する。また、図９に示す貨幣処理システム１０ａでは、判定手段９０は、比較手段９４による比較結果に加えて、包装硬貨収納装置７２に収納されている包装硬貨の金種毎の本数を参照して、硬貨収納トレー５８に収納されている硬貨を硬貨処理装置２０の収納繰出部３４に補充可能かを判定するようになっている。
【００７３】
より詳細に説明すると、比較手段９４による比較結果において、硬貨の各々の金種について、計数手段９２による計数結果に基づいた硬貨収納トレー５８に収納されている硬貨の枚数が、硬貨処理装置２０に補充されるべき硬貨の枚数以上である場合には、判定手段９０は、硬貨収納トレー５８に収納されている硬貨を硬貨処理装置２０の収納繰出部３４に補充可能であると判定する。そして、この場合には、トレー収容部５７においてロック機構による硬貨収納トレー５８のロックが解除され、操作者はトレー収容部５７から硬貨収納トレー５８を手前側に引き出すことができるようになる。また、硬貨収納トレー５８に設けられているＬＥＤランプ５９が点灯することにより、硬貨収納トレー５８に収納されている硬貨を硬貨処理装置２０に補充する旨のガイダンスが操作者に報知される。
【００７４】
その後、操作者がトレー収容部５７から硬貨収納トレー５８を手前側に引き出し、この引き出された硬貨収納トレー５８から硬貨を取り出して硬貨処理装置２０の硬貨投入口２２ａに投入すると、硬貨投入口２２ａに投入された硬貨が硬貨受入部２４に受け入れられる。その後、硬貨受入部２４に受け入れられた硬貨が識別部２８により識別された後に各収納繰出部３４に金種毎に収納される。このようにして、硬貨収納トレー５８に収納されている硬貨が硬貨処理装置２０に補充されるようになる。
【００７５】
なお、上述した硬貨の補充処理が行われる途中で、ある収納繰出部３４がフル状態またはニアフル状態になると、硬貨繰出機構２４ａによる硬貨受入部２４からの硬貨の繰り出し動作や入金搬送部２６による硬貨の搬送動作が中断される。そして、フル状態またはニアフル状態になった収納繰出部３４に収納されている硬貨のうち一部の硬貨が硬貨繰出機構３４ａによって出金搬送部３６に繰り出され、この出金搬送部３６により硬貨が搬送される。そして、出金搬送部３６により搬送される硬貨が第２分岐部３８に到達すると、当該第２分岐部３８により出金搬送部３６から硬貨が分岐搬送部４０に分岐させられ、分岐させられた硬貨は分岐搬送部４０により搬送される。また、分岐搬送部４０により搬送される硬貨は第３分岐部４２により追加収納部４４に分岐させられる。このことにより、収納繰出部３４から繰り出された硬貨は追加収納部４４に収納されるようになる。このような収納繰出部３４から追加収納部４４に硬貨を送る動作は、収納繰出部３４における硬貨の収納枚数が所定の閾値よりも小さくなるまで行われる。その後、トレー収容部５７から引き出されていた硬貨収納トレー５８がトレー収容部５７の内部に戻されると、追加収納部４４から硬貨繰出機構４４ａにより硬貨が１枚ずつ第４分岐部４６に繰り出され、追加収納部４４から繰り出された硬貨がこの第４分岐部４６により硬貨排出口４８に振り分けられる。このことにより、硬貨排出口４８から排出された硬貨が硬貨収納トレー５８に収納される。その後、硬貨繰出機構２４ａによる硬貨受入部２４からの硬貨の繰り出し動作や入金搬送部２６による硬貨の搬送動作が再開される。
【００７６】
一方、比較手段９４による比較結果において、ある一つの金種でも、計数手段９２による計数結果に基づいた硬貨収納トレー５８に収納されている硬貨の枚数が、硬貨処理装置２０に補充されるべき硬貨の枚数より少ない場合には、判定手段９０は、硬貨収納トレー５８に収納されている硬貨を硬貨処理装置２０の収納繰出部３４に補充可能ではないと判定する。また、この場合には、包装硬貨収納装置７２に収納されている包装硬貨の包装紙等が解かれてバラ硬貨とされた後にこのバラ硬貨が硬貨処理装置２０の硬貨投入口２２ａに投入されるか、貨幣処理システム１０ａの外部から持ち込まれた硬貨が硬貨処理装置２０の硬貨投入口２２ａに投入されることにより、各収納繰出部３４に硬貨が金種毎に収納されるようになる。
【００７７】
また、別の変形例に係る貨幣処理システムとして、硬貨処理装置２０の下方に、硬貨を収納するとともに収納されている硬貨を繰出可能な収納繰出部（図示せず）が予備硬貨収納体として設けられているものが用いられてもよい。このような貨幣処理システムでは、硬貨処理装置２０において第４分岐部４６により硬貨排出口４８に振り分けられた硬貨が当該硬貨の自重によって硬貨排出口４８から筐体２１の下方に排出されると、硬貨排出口４８から排出された硬貨は開口６２を通って硬貨処理装置２０の下方に設けられている収納繰出部に収納されるようになる。また、硬貨処理装置２０の下方に設けられている収納繰出部には、当該収納繰出部に収納されている硬貨を硬貨処理装置２０の硬貨受入部２４または入金搬送部２６に繰り出す硬貨繰出機構が設けられている。
【００７８】
このような別の変形例に係る貨幣処理システムにおいて、硬貨処理装置２０への硬貨の補充処理が行われる際に、硬貨処理装置２０の収納繰出部３４に硬貨を補充する旨の指令が制御部８０に与えられると、硬貨処理装置２０の下方に設けられている収納繰出部に収納されている硬貨を硬貨処理装置２０の収納繰出部３４に補充可能かが判定手段９０により判定される。また、硬貨処理装置２０の下方に設けられている収納繰出部に収納されている硬貨を硬貨処理装置２０の収納繰出部３４に補充可能であると判定手段９０により判定されると、収納繰出部に収納されている硬貨が当該収納繰出部に設けられている硬貨繰出機構によって硬貨処理装置２０の硬貨受入部２４または入金搬送部２６に繰り出されることにより各収納繰出部３４に金種毎に収納されるようになる。
【符号の説明】
【００７９】
１０、１０ａ  貨幣処理システム
２０    硬貨処理装置
２１    筐体
２２    硬貨投入部
２２ａ  硬貨投入口
２４    硬貨受入部
２４ａ  硬貨繰出機構
２６    入金搬送部
２８    識別部
３０    第１分岐部
３２    リジェクトシュート
３４    収納繰出部
３４ａ  硬貨繰出機構
３４ｂ  硬貨検知センサ
３６    出金搬送部
３８    第２分岐部
４０    分岐搬送部
４２    第３分岐部
４４    追加収納部
４４ａ  硬貨繰出機構
４６    第４分岐部
４８    硬貨排出口
５０    硬貨払出部
５２    リジェクト部
５４    カセット装着部
５６    ロック機構
５７    トレー収容部
５８    硬貨収納トレー
５９    ＬＥＤランプ
６０    予備硬貨収納カセット
６２、６４    開口
６２ａ、６４ａ  シャッター
６６    ＬＥＤランプ
７０    紙幣処理装置
７０ａ  紙幣投入口
７０ｂ  紙幣払出口
７２    包装硬貨収納装置
７２ａ  筐体
７４    ロック機構
７６    検知手段
７６ａ  光センサ
７６ｂ  ロータリエンコーダ
７８    収納ドロア
７９    ＬＥＤランプ
８０    制御部
８２    操作表示部
８４    記憶部
８６    通信部
９０    判定手段
９２    計数手段
９４    比較手段
【図１】
2019144661.tif 000003
【図２】
2019144661.tif 000004
【図３】
2019144661.tif 000005
【図４】
2019144661.tif 000006
【図５】
2019144661.tif 000007
【図６】
2019144661.tif 000008
【図７】
2019144661.tif 000009
【図８】
2019144661.tif 000010
【図９】
2019144661.tif 000011